【手続補正書】
【提出日】平成18年8月2日(2006.8.2)
【手続補正１】
【補正対象書類名】明細書
【補正対象項目名】特許請求の範囲
【補正方法】変更
【補正の内容】
【特許請求の範囲】
【請求項１】
複数の図柄を変動表示可能な可変表示装置を備え、
所定の契機の発生に基づき遊技者に有利な特別遊技状態を発生させるか否かを判定し、前記可変表示装置において、図柄を変動表示させその後停止表示させ、前記判定に際し特別遊技状態を発生させる旨が判定された場合には、前記図柄を当たり図柄で停止表示させ、
少なくとも前記図柄が前記当たり図柄で停止表示される前段階において、前記可変表示装置にて複数種類のリーチパターンのうち決定されたリーチパターンに基づくリーチ遊技状態を演出表示するよう構成された遊技機であって、
前記特別遊技状態を発生させない旨が判定された場合に、リーチ遊技状態を演出するか否かを判定する外れリーチ判定手段と、
前記外れリーチ判定手段によりリーチ遊技状態を演出すると判定された場合に、可変表示装置において停止表示させる外れリーチ図柄を決定する外れリーチ図柄決定手段と、
前記外れリーチ判定手段によりリーチ遊技状態を演出すると判定された場合に、前記可変表示装置にて演出表示されるリーチ遊技状態のリーチパターンを決定する外れリーチパターン決定手段と、
前記外れリーチ図柄決定手段による外れリーチ図柄の決定、及び、前記外れリーチパターン決定手段によるリーチパターンの決定を、外れリーチ時に使用する単一の外れリーチカウンタのカウント値に基づいて実行可能としたことを特徴とする遊技機。
【請求項２】
複数の図柄を変動表示可能な可変表示装置を備え、
所定の契機の発生に基づき遊技者に有利な特別遊技状態を発生させるか否かを判定し、前記可変表示装置において、図柄を変動表示させその後停止表示させ、前記判定に際し特別遊技状態を発生させる旨が判定された場合には、前記図柄を当たり図柄で停止表示させ、
少なくとも前記図柄が前記当たり図柄で停止表示される前段階において、前記可変表示装置にて複数種類のリーチパターンのうち決定されたリーチパターンに基づくリーチ遊技状態を演出表示するよう構成された遊技機であって、
前記特別遊技状態を発生させない旨が判定された場合に、リーチ遊技状態を演出するか否かを判定する外れリーチ判定手段と、
外れリーチ時に使用する外れリーチカウンタの値を更新する更新手段と、
前記所定の契機の発生に基づき前記外れリーチカウンタの値を参照する参照手段と、
前記外れリーチ判定手段によりリーチ遊技状態を演出すると判定された場合に前記参照手段により参照された前記外れリーチカウンタの値に基づいて前記可変表示装置において停止表示させる外れリーチ図柄を決定する外れリーチ図柄決定手段と、
前記外れリーチ判定手段によりリーチ遊技状態を演出すると判定された場合に前記参照手段により参照された前記外れリーチカウンタの値に基づいて前記可変表示装置にて演出表示されるリーチ遊技状態のリーチパターンを決定する外れリーチパターン決定手段とを備えたことを特徴とする遊技機。
【請求項３】
複数の図柄を変動表示可能な可変表示装置を備え、
所定の契機の発生に基づき遊技者に有利な特別遊技状態を発生させるか否かを判定し、前記可変表示装置において、図柄を変動表示させその後停止表示させ、前記判定に際し特別遊技状態を発生させる旨が判定された場合には、前記図柄を当たり図柄で停止表示させ、
少なくとも前記図柄が前記当たり図柄で停止表示される前段階において、前記可変表示装置にて複数種類のリーチパターンのうち決定されたリーチパターンに基づくリーチ遊技状態を演出表示するよう構成された遊技機であって、
前記特別遊技状態を発生させない旨が判定された場合に、リーチ遊技状態を演出するか否かを判定する外れリーチ判定手段と、
外れリーチ時に使用する外れリーチカウンタの値を更新する更新手段と、
前記所定の契機の発生に基づき前記外れリーチカウンタの値を参照する参照手段と、
前記外れリーチ判定手段によりリーチ遊技状態を演出すると判定された場合に前記参照手段により参照された前記外れリーチカウンタの値に基づいて前記可変表示装置にて演出表示されるリーチ遊技状態のリーチパターンを決定する外れリーチパターン決定手段と、
前記外れリーチ判定手段によりリーチ遊技状態を演出すると判定された場合に前記参照手段により参照された前記外れリーチカウンタの値が所定の条件を満たすか否かを判定するカウント値判定手段と、
前記カウント値判定手段により前記外れリーチカウンタの値が所定の条件を満たすと判定された場合に当該外れリーチカウンタの値に基づいて前記可変表示装置において停止表示させる外れリーチ図柄を決定する外れリーチ図柄決定手段とを備えたことを特徴とする遊技機。
【請求項４】
複数の図柄を変動表示可能な可変表示装置を備え、
所定の契機の発生に基づき遊技者に有利な特別遊技状態を発生させるか否かを判定し、前記可変表示装置において、図柄を変動表示させその後停止表示させ、前記判定に際し特別遊技状態を発生させる旨が判定された場合には、前記図柄を当たり図柄で停止表示させ、
少なくとも前記図柄が前記当たり図柄で停止表示される前段階において、前記可変表示装置にて複数種類のリーチパターンのうち決定されたリーチパターンに基づくリーチ遊技状態を演出表示するよう構成された遊技機であって、
前記特別遊技状態を発生させない旨が判定された場合に、リーチ遊技状態を演出するか否かを判定する外れリーチ判定手段と、
外れリーチ時に使用する外れリーチカウンタの値を更新する更新手段と、
前記所定の契機の発生に基づき前記外れリーチカウンタの値を参照する参照手段と、
前記外れリーチ判定手段によりリーチ遊技状態を演出すると判定された場合に前記参照手段により参照された前記外れリーチカウンタの値に基づいて前記可変表示装置にて演出表示されるリーチ遊技状態のリーチパターンを決定する外れリーチパターン決定手段と、
前記外れリーチ判定手段によりリーチ遊技状態を演出すると判定された場合に前記参照手段により参照された前記外れリーチカウンタの値が所定の条件を満たすか否かを判定するカウント値判定手段と、
前記カウント値判定手段により前記外れリーチカウンタの値が所定の条件を満たすと判定された場合に当該外れリーチカウンタの値に基づいて前記可変表示装置において停止表示させる外れリーチ図柄を決定する外れリーチ図柄決定手段と、
前記カウント値判定手段により前記外れリーチカウンタの値が所定の条件を満たさないと判定された場合に当該外れリーチカウンタの値に基づかず前記可変表示装置において停止表示させる外れリーチ図柄を決定する別の外れリーチ図柄決定手段とを備えたことを特徴とする遊技機。
【請求項５】
前記外れリーチ図柄には、前記当たり図柄とは前後に１コマだけずれたプラスマイナス１コマの図柄が含まれ、前記別の外れリーチ図柄決定手段により決定される外れリーチ図柄は、前記プラスマイナス１コマの図柄以外の図柄であることを特徴とする請求項４に記載の遊技機。
【請求項６】
前記カウント値判定手段により前記外れリーチカウンタの値が所定の条件を満たすと判定された場合に、前記外れリーチパターン決定手段により決定されるリーチパターンは、
前記特別遊技状態を発生させる旨が判定された場合には決定されやすく、前記特別遊技状態を発生させない旨が判定された場合には決定されにくいリーチパターンであることを特徴とする請求項３乃至５のいずれかに記載の遊技機。
【請求項７】
前記外れリーチ図柄には、前記当たり図柄とは前後に１コマだけずれたプラスマイナス１コマの図柄が含まれ、前記外れリーチ図柄決定手段により決定される外れリーチ図柄は、前記プラスマイナス１コマの図柄であることを特徴とする請求項２乃至６のいずれかに記載の遊技機。